(57)【要約】【課題】重い荷重を支持可能なネジ部を有する留め具を提供すること。【解決手段】留め具１はプラスチック材料から形成され、かつ、シャンク２に連結されたトグルバー５を含んでいる。トグルバー５は最初にシャンク２の長手方向に延設された不作用位置に保持されており、シャンク２が壁または他の部材を貫通することを阻害することがない。トグルバー５は、留め具１に挿入された固定ネジ２４または他の締結具が接触することにより不作用位置から作用位置へ移動し、作用位置においてシャンク２の長手の軸線に対して実質的に横断方向に延設される。【選択図】図１
2010065851.tif 000002
【特許請求の範囲】
【請求項１】
第１の部材を第２の部材へ固定するための留め具において、
前記第２の部材はプラスタボードまたは他の同様の薄板状の部材であって、正面と裏面とを有しており、
前記留め具はプラスチック材料から形成され、かつ、第２の部材の正面から裏面を越えて貫通、設置される長尺のシャンクと、前記第２の部材と係合して前記シャンクをそこに保持するために前記シャンクに形成されたネジ部とを含み、前記シャンクは、その外側の端部から長手方向に延設、形成され固定ネジを受容する通路と、トグルバーと、前記トグルバーがシャンクの長手方向に延び、かつ、前記シャンクが前記第２の部材を貫通することを阻害しない不作用位置にて前記トグルバーを前記シャンクに対して取り付ける少なくとも１つの脆弱連結部とを含み、
前記トグルバーが前記シャンクの通路に挿入された固定ネジにより前記トグルバーが前記不作用位置から作用位置へ移動し、作用位置において前記トグルバーは、前記第２の部材の背面の後方において前記シャンクの長手の中心軸線に対して横断方向に延び、
前記作用位置にある前記トグルバーは前記固定ネジに係合可能であり、この係合により前記トグルバーが第２の部材の背面に向かって移動し、前記固定ネジを前記シャンク内で相対的に回転させることにより、前記トグルバーが引き込まれて第２の部材の裏面に係合することにより、前記固定ネジと共働する第１の部材が前記第２の部材に固定されるようにした留め具。
【発明の詳細な説明】
【技術分野】
【０００１】
本発明は壁面等の表面に部材を固定可能とするために用いられるネジ部を有する留め具（アンカー）に関する。本発明は、特に、締結具を留め具と共働させて１つの部材を他の部材に固定する締結装置で用いる留め具に関する。以下の説明では、特に、プラスタボードまたは他の乾燥した壁材料から成る壁面への部材の固定について説明するが、本発明がより広い応用範囲を有していることは理解されよう。
【背景技術】
【０００２】
本発明の主題とする種の留め具は、プラスタボードが脆い材料であるので、こうしたプラスタボードと他の乾燥した材料との関連で用いられる。こうした材料において荷重を十分に支持可能とし、しっかりと固定するために、標準的な固定ネジを用いることができる。従って、ネジ部を有する留め具をプラスタボードその他の材料に挿入し、固定ネジを留め具内にねじ込みことにより支持荷重を得る。この種の留め具はオーストラリア特許第５７９６２２号に開示されている。
【先行技術文献】
【特許文献】
【０００３】
【特許文献１】オーストラリア特許第５７９６２２号明細書
【発明の概要】
【発明が解決しようとする課題】
【０００４】
既述した種の従来の留め具は比較的重い荷重、例えば５Ｋｇを支持する必要がある場合に十分ではない。本発明の目的は、既述した種のネジ部を有する留め具であって、比較的低コストで製造可能であり、かつ、比較的重い荷重を支持可能な留め具を提供することである。
【課題を解決するための手段】
【０００５】
本発明の留め具はプラスチック材料から形成され、かつ、留め具のシャンクに連結されたトグルバーを含んでいる。トグルバーは最初に前記シャンクの長手方向に延設された不作用位置に保持されており、前記シャンクが壁または他の部材を貫通することを阻害することがない。留め具に挿入された固定ネジまたは他の締結具が接触することにより不作用位置から作用位置へ移動し、作用位置においてシャンクの長手の軸線に対して実質的に横断方向に延設される。トグルバーが作用位置にあるとき、トグルバーは固定ネジおよび留め具のシャンクと共働して、固定ネジを回転させることにより、シャンクの外側の端部またはヘッドの設けられた端部に向けて引っ張られる。
【０００６】
留め具の使用に先立って前記トグルバーを不作用位置に保持するために脆弱連結部が設けられる。より好ましくは、複数の脆弱連結部が前記シャンクおよびトグルバーと共に一体成形される。こうした構成は、シャンクおよびトグルバーをモールド成形または他の適当な方法により一体的に成形することにより得られる。本発明の１実施形態では、前記留め具はガラス繊維強化ナイロン等のプラスチック材料から形成されるが、他のプラスチック材料を用いても良い。
【０００７】
シャンクの一端にヘッドを設け他端に穿孔端を配設し、前記ヘッドに隣接させて外ネジ部をシャンクに形成することが好ましい。トグルバーは、最初、シャンクに設けられた空所内に実質的に配設されている。好ましい形態では、前記空所は細長いスロットにて形成されており、このスロットはシャンクの一側部から他方の側部へ完全に貫通して形成されており、かつ、シャンクの長手の中心軸線に実質的に平行な長手の中心軸線を有している。好ましい形態において、前記スロットは前記ヘッドおよび穿孔端に隣接した端部の各々が閉じられている。代替的形態では、前記スロットは前記穿孔端に隣接した端部において開いていても、或いは、実質的に開いていてもよい。
【０００８】
留め具の穿孔端は、該留め具を固定する部材に所定直径の孔を形成するたねい適当な形状とすることができる。前記孔の直径は前記シャンクのネジ部に適合させて予め選択される。より詳細には、前記孔の直径は前記ネジ部の外径よりも小さい必要はない。好ましくは、トグルバーが前記不作用位置にあるとき、前記シャンクの半径方向外側に前記所定直径を越えて突出する部分がないようにする。
【０００９】
前記トグルバーが前記作用位置へ付勢されるとき、前記シャンクの両側を越えて前記トグルバーは半径方向に突き出るようにする。一方の前記半径方向への突き出しは他方よりも大きく突き出していてもよい。代替的に、トグルバーは前記シャンクの一方の側部のみを越えて半径方向に突き出すようにしてもよい。
【００１０】
トグルバーおよびシャンクに保持手段を設けて、前記トグルバーの前記作用位置への移動の間および移動後に、トグルバーが前記シャンクから完全に分離してしまうことを防止することができる。また、停止手段を設けて、前記トグルバーが前記作用位置へ移動するとき、或いは、作用位置にあるとき、前記トグルバーが前記シャンクから離反する移動を制限しても良い。
【図面の簡単な説明】
【００１１】
【図１】本発明実施形態による留め具の側面図である。
【図２】図１の留め具の側面図から９０°回転させた側面図である。
【図３】図１の留め具の側面図から１８０°回転させた側面図である。
【図４】図１において矢視線ＩＶ−ＩＶに沿う断面図である。
【図５】図１の留め具の使用を説明する図であり、第１の位置にあるトグルバーを示す図である。
【図６】図５と同様の図であるが、トグルバーが第２の位置（クランプ位置）にある図である。
【発明を実施するための形態】
【００１２】
図１から４に示す留め具（アンカー）１は、シャンク２、シャンク２の一端に設けられたヘッド３、シャンク２の他端に設けられた穿孔端４を含んでいる。トグルバー５が、後述するように、実質的にシャンク２の本体内部において留め具１の一部として形成されている。留め具１は、ガラス繊維強化ナイロン等の適当なプラスチック材料から形成される。このガラス繊維強化ナイロンは、強度および製造上の利便性の観点から満足のいく材料である。
【００１３】
ヘッド３は適当な形状または寸法にて形成可能である。図示する実施形態では、ヘッド３は、本質的にシャンク２の半径方向に突き出したフランジであり、傾斜した当接面６を有している。当接面６は、図５に示すように、部材８（壁とすることができる）の表面７に係合する。適当な駆動工具を受ける凹所９（図２）がヘッド３の外面１０に形成されている。
【００１４】
穿孔端は、留め具の使用状況等の要因に関して適合させて適当に形成することができる。一例として図示する穿孔端４は、プラスタボードに用いるのに適した形状をしている。穿孔端４は、実質的に平坦なブレード１１と、先端点１３に収斂する狭い方の側面１２とを有している。側面１２の各々を切刃１４から内側に傾斜させてブレード１１の穿孔性能を高めてもよい。他の切刃１５がブレード１１の広い方の側面の内側の端部に形成されている。切刃１５の各々は、ブレード１１の広い方の側面１６から半径方向外側に延びている。図１、３に示すように、２つの切刃１５をシャンク２の横断方向に互いに離間させ、シャンクの中心軸に関して直径を挟んだ両側に配設することが望ましい。
【００１５】
ネジ部１７がシャンク２においてヘッド３に隣接する部位に形成されている。ネジ部１７の形状、寸法は留め具１を用いる材料に対する締結効果を充分に発揮するよう適宜に選択可能である。穿孔端４が形成する孔４０（図５）の直径がネジ部１７の谷の径よりも大きくならない、或いは実質的に大きくならないことが好ましい。図５から明らかなように、ネジ部１７は、それ自体ネジ切り作用を有している。つまり、ネジ部１７は、部材８を形成する材料を押し退けながら部材８内に導入される。これにより留め具１は部材８にしっかりと取り付けられる。特に、留め具１は、引き抜かれることに対して実質的に抵抗するように取り付けられる。
【００１６】
トグルバー５は、適当な方法にてシャンクに取り受けられるが、トグルバー５が最初からシャンク２の内部に配置されるように留め具１を形成することが好ましい。この配置は、トグルバー５が穿孔端４の作用、または、シャンク２の穿孔端４により形成された孔４０の通過を阻害しない、トグルバー５の不作用位置である。図示する実施形態では、トグルバー５が配置される空所として、シャンク２の一方側部から他方側部へ横断、貫通し、かつ、シャンク２の長手方向に延びるスロット１８がシャンク２に形成されており、該スロット内にトグルバー５が配設されている。然しながら、スロット１８はヘッド３および穿孔端４の近傍の両端において、少なくともある程度閉じられていることが好ましい。
【００１７】
図４に示すように、トグルバー５が不作用位置にあるとき、トグルバー５は切刃１５の外側の端部１９を越えてシャンク２の外側に半径方向に突き出す部分がないことが好ましい。図示する実施形態では、切刃１５の各々は、シャンクの中心軸線から半径方向外側に同じ距離を以て突き出している。他の構成では、一方の切刃１５を他方の切刃よりも大きく半径方向に突き出していてもよい。この場合、トグルバー５は（不作用位置にあるとき）、この大きく突き出した切刃１５よりも、更に半径方向外側に突き出していないことが好ましい。
【００１８】
トグルバー５を不作用位置に解除可能に保持する手段が、トグルバー５をシャンク２に連結する脆弱連結部２０、２１、２２（図１、３）を具備している。図１に関して、脆弱連結具２０はトグルバー５の「頂部」に配設されており、脆弱連結具２２はトグルバー５の「底部」に配設されている（この位置関係は図３では逆になる）。脆弱連結部２１は図１、３におけるトグルバー５の頂部および底部の間に配設されており、かつ、脆弱連結部２０、２２の間に配置されている。上記脆弱連結部は他の位置に設けても良く、かつ、その数も図示する実施形態よりも多く或いは少なくすることができる。
【００１９】
トグルバー５は、好ましくは図示するように長尺の部材であり、図４に示すように、貫通孔２３が横断方向にトグルバー５を貫通、形成されている。貫通孔２３は、後述するように、固定ネジ２４（図５、６）と共働する。
【００２０】
トグルバー５が作用位置へ向けてシャンク２に対して移動すると、トグルバー５の一部が少なくともシャンク２の一方の側面よりも外側に突き出す。図示する実施形態では、トグルバー５の両側部の一部がシャンク２の両側面から突き出しているが、これは絶対に必要な構成ではない。
【００２１】
留め具１は、図５に示すように、ヘッド３が部材８の表面７に接触するまで周知の方法にて壁または他の部材８内へ駆動される。留め具１が、そうした位置に達すると、固定ネジ２４（または他の締結具）が一方が開口した通路２５（図４）内に挿入される。通路２５はスロット１８と留め具１の端面１０の間に延設されている。好ましくは、通路２５は固定ネジ２４のネジの形成されたシャンク２６を自由に受容できる直径を有している。ネジ２４が先ず通路２５を通して留め具１内に導入されると、固定ネジ２４のシャンク１６の先端がトグルバー５の斜面２７に当接する。固定ネジ２４に負荷される圧力により、トグルバー５の端部がシャンク２の半径方向外側に押接される。これにより、脆弱連結部２０、２１、２２が破断する。一般的には、先ず脆弱連結部２２が破断し、次いで脆弱連結部２１が、最後に脆弱連結部２０が破断する。その結果、図５に示すようにトグルバー５は９０°回転して作用位置へ移動する。
【００２２】
トグルバー５が作用位置に移動したとき、トグルバー５は図５に示すよりもヘッド３に近い位置にある。固定ネジ２４に圧力を与え続けると、シャンク２の長手方向に押接されヘッド３から離反する。図５に示す位置を越えてトグルバー５が移動することを防止する停止手段を設けても良い。また、トグルバー５がスロット１８から落下することを防止し、以てシャンク２から分離することを防止する保持手段を設けても良い。
【００２３】
図示する実施形態では、前記保持手段が、また、中心位置決め手段として作用し、貫通孔２３を固定ネジ２４のシャンク２６に対して実質的に一直線上に位置決めする。他の構成において、前記中心位置決め手段は前記保持手段と独立に形成してもよい。前記保持手段としては種々の構成が考え得るが、図示する実施形態では、二対の突起部２８、２９を含んでいる。脆弱連結部２０は突起部２８とシャンク２の間に形成され、脆弱連結部２２は突起部２９とシャンク２の間に形成されている。突起部２８、２９の各々はトグルバー５の本体から横断方向に突き出しており、トグルバー５が作用位置にあるとき、シャンク２の面３０、３１に係合する。これにより、トグルバー５がスロット１８からすり抜けてしまうことが防止される。突起部２８、２９の間の距離は、好ましくは、面３０、３１の間の距離よりも実質的に大きくなっていない。トグルバー５が不作用位置から作用位置へ移動する瞬間、突起部２８は、突起部２９が面３１に接触するまで面３０に対する回動点を構成する。
【００２４】
既述した停止手段は種々の構成により形成することができるが、図示する実施形態において、停止手段はシャンク２に形成された二対の肩部３２、３３を含んでいる。一対の肩部３２の各々は、面３０の各々の一端に形成されており、他の一対の肩部３３の各々は面３１の各々の一端に形成されている。図５に示すように、トグルバー５が作用位置にあるとき、突起部２８の各々は肩部３２の各々に係合可能であり、突起部２９の各々は肩部３３の各々に係合可能である。
【００２５】
トグルバー５が図５の位置にあるとき、ネジ２４のシャンク２６はトグルバー５の貫通孔２３に対して実質的に一直線上の位置にある。固定ネジ２４を押圧すると、シャンク２６が貫通孔２３内に押し込まれる。同時に、固定ネジ２４を回転させると、貫通孔２３に内ネジが形成される。トグルバー５は、スロット１８内で拘束されているために、固定ネジ２４と共に回転しないように保持されている。固定ネジ２４が、それ自身ネジを切りながらトグルバー５に対して前進するので、トグルバー５はヘッド３へ引き寄せられ、最終的に図６に示す位置に到達する。トグルバー５は、その位置において部材８の面（裏面）３４に強固に押しつけられ、他の部材３５（つまり第１の部材）が、部材８（つまり第２の部材）の表面７に対して固定される。
【００２６】
既述の説明から明らかなように、本発明によれば、単純な構成で効果的な留め具（アンカー）が提供される。この留め具は安価に製造され、かつ、使用が簡単である。
【符号の説明】
【００２７】
１    留め具
２    シャンク
３    ヘッド
４    穿孔端
５    トグルバー
１１    ブレード
１５    切刃
１７    ネジ部
２０    脆弱連結部
２１    脆弱連結部
２２    脆弱連結部
２４    固定ネジ
【図１】
2010065851.tif 000003
【図２】
2010065851.tif 000004
【図３】
2010065851.tif 000005
【図４】
2010065851.tif 000006
【図５】
2010065851.tif 000007
【図６】
2010065851.tif 000008